(57)【要約】【課題】電子機器の使用時の誤操作を防止し、ユーザの使用時のストレスを解消するとともにその利便性を向上させる。【解決手段】表面に枠状部１ａを備えた筐体１と、筐体１の枠状部１ａの内側に配された表示パネル２と、表示パネル２を制御する制御部７と、筐体１に対して相対的に揺動自在に表示パネル２を支持する支持部６と、筐体１の内部における表示パネル２の背面側に配置され、表示パネル２の押下操作に基づく当該表示パネル２の揺動により制御部７に指示信号を出力する指示信号出力部（押しボタンａ〜ｄ）と、を備える。【選択図】図１
2009053253.tif 000002
【特許請求の範囲】
【請求項１】
表面に枠状部を備えた筐体と、
前記筐体の前記枠状部の内側に配された表示パネルと、
前記表示パネルを制御する制御部と、
前記筐体に対して相対的に揺動自在に前記表示パネルを支持する支持部と、
前記筐体の内部における前記表示パネルの背面側に配置され、前記表示パネルの押下操作に基づく当該表示パネルの揺動により前記制御部に指示信号を出力する指示信号出力部と、
を備えることを特徴とする電子機器。
【請求項２】
前記表示パネルの表面は、前記枠状部の表面より奥まった位置に配置されていることを特徴とする請求項１に記載の電子機器。
【請求項３】
前記枠状部と前記表示パネルとの間には間隙が形成され、
前記間隙には、前記表示パネルを傾ける際の押圧力を調整する押圧力調整部材が備えられていることを特徴とする請求項１又は請求項２に記載の電子機器。
【請求項４】
前記押圧力調整部材は、前記間隙を覆うように配置されていることを特徴とする請求項３に記載の電子機器。
【請求項５】
前記押圧力調整部材は、前記表示パネルの表面より窪んだ凹形状であることを特徴とする請求項３又は請求項４に記載の電子機器。
【請求項６】
前記押圧力調整部材は、前記表示パネルの表面より突出した凸形状であることを特徴とする請求項３又は請求項４に記載の電子機器。
【請求項７】
前記押圧力調整部材は、前記表示パネルの表面に対して前記凹形状及び前記凸形状が連続した形状であることを特徴とする請求項３又は請求項４に記載の電子機器。
【請求項８】
前記押圧力調整部材は透明なシート状であって、前記間隙と前記表示パネルの表面とを覆うことを特徴とする請求項３から請求項７のいずれか一項に記載の電子機器。
【請求項９】
表面に枠状部を備えた筐体と、
前記筐体の前記枠状部の内側に配された表示パネルと、
前記表示パネルを制御する制御部と、
前記筐体に対して相対的に揺動自在に前記表示パネルを支持する支持部と、
前記筐体の内部における前記表示パネルの背面側に配置され、前記表示パネルの押下操作に基づく当該表示パネルの揺動により前記制御部に指示信号を出力する指示信号出力部と、
を備え、
前記表示パネルの表面は、前記枠状部の表面より奥まった位置に配置され、
前記枠状部と前記表示パネルとの間には間隙が形成され、
前記間隙には、当該間隙を覆うように前記表示パネルを傾ける際の押圧力を調整する押圧力調整部材が備えられており、
前記押圧力調整部材は、前記間隙において前記表示パネルの表面に対して前記凹形状及び前記凸形状が連続した形状であることを特徴とする電子機器。
【発明の詳細な説明】
【技術分野】
【０００１】
本発明は、電子機器に関する。
【背景技術】
【０００２】
近年、携帯電話や携帯型テレビ等の装置表面に表示パネルが搭載されたポータブル型の電子機器が普及している。
このような電子機器としては、例えば、電子機器の筐体上にヒンジにより開閉可能な蓋部を設け、蓋部の表面上に操作ボタンが設けられた構成が知られている(例えば、特許文献１参照。)。
また、例えば、電子機器の筐体の表面にフロントパネルを搭載してこのフロントパネル表面上における上下左右の部位に押しボタンを設け、押下操作の際にはフロントパネル全体を可動させる構成が知られている。
【特許文献１】特開２００１−１１８３６９号公報
【発明の開示】
【発明が解決しようとする課題】
【０００３】
しかしながら、特許文献１記載の発明においては、蓋部の表面上に操作ボタンを設けた構成となっているため、電子機器の動作中にユーザのポケット等に収納しようとした場合には、収納時の圧力で誤操作が発生し易いという問題があった。  
一方、前記した、フロントパネルの表面上に押しボタンを設けて押下操作の際にフロントパネル全体を可動させる構成においては、フロントパネル全体が可動する構造となっているため、ユーザが手で保持した場合やポケット等に収納しようとした場合には、フロントパネルに触れてしまうため誤操作が発生し易いという問題があった。
このため、これらの電子機器において誤操作の発生を防止するには、操作を無効にするホールドスイッチを必ずオンにする必要があり、ユーザが使用時に気を使わなければならないという問題があった。
【０００４】
本発明は、前記した点に鑑みてなされたものであり、電子機器を手で保持しながら使用する場合においても、ポケット等に収納して使用する場合においても、電子機器の使用時の誤操作を防止する構造とすることにより、ユーザの使用時のストレスを解消するとともにその利便性を向上させることを目的とするものである。
【課題を解決するための手段】
【０００５】
前記目的を達成するために、請求項１に記載の発明にかかる電子機器は、
表面に枠状部を備えた筐体と、
前記筐体の前記枠状部の内側に配された表示パネルと、
前記表示パネルを制御する制御部と、
前記筐体に対して相対的に揺動自在に前記表示パネルを支持する支持部と、
前記筐体の内部における前記表示パネルの背面側に配置され、前記表示パネルの押下操作に基づく当該表示パネルの揺動により前記制御部に指示信号を出力する指示信号出力部と、
を備えることを特徴とする。
【０００６】
また、請求項２に記載の発明は、請求項１に記載の電子機器において、
前記表示パネルの表面は、前記枠状部の表面より奥まった位置に配置されていることを特徴とする。
【０００７】
また、請求項３に記載の発明は、請求項１又は請求項２に記載の電子機器において、
前記枠状部と前記表示パネルとの間には間隙が形成され、
前記間隙には、前記表示パネルを傾ける際の押圧力を調整する押圧力調整部材が備えられていることを特徴とする。
【０００８】
また、請求項４に記載の発明は、請求項３に記載の電子機器において、
前記押圧力調整部材は、前記間隙を覆うように配置されていることを特徴とする。
【０００９】
また、請求項５に記載の発明は、請求項３又は請求項４に記載の電子機器において、  
前記押圧力調整部材は、前記表示パネルの表面より窪んだ凹形状であることを特徴とする。
【００１０】
また、請求項６に記載の発明は、請求項３又は請求項４に記載の電子機器において、
前記押圧力調整部材は、前記表示パネルの表面より突出した凸形状であることを特徴とする。  
【００１１】
また、請求項７に記載の発明は、請求項３又は請求項４のいずれか一項に記載の電子機器において、
前記押圧力調整部材は、前記表示パネルの表面に対して前記凹形状及び前記凸形状が連続した形状であることを特徴とする。
【００１２】
また、請求項８に記載の発明は、請求項３から請求項７のいずれか一項に記載の電子機器において、
前記押圧力調整部材は透明なシート状であって、前記間隙と前記表示パネルの表面とを覆うことを特徴とする。
【００１３】
また、請求項９に記載の発明は、
表面に枠状部を備えた筐体と、
前記筐体の前記枠状部の内側に配された表示パネルと、
前記表示パネルを制御する制御部と、
前記筐体に対して相対的に揺動自在に前記表示パネルを支持する支持部と、
前記筐体の内部における前記表示パネルの背面側に配置され、前記表示パネルの押下操作に基づく当該表示パネルの揺動により前記制御部に指示信号を出力する指示信号出力部と、
を備え、
前記表示パネルの表面は、前記枠状部の表面より奥まった位置に配置され、
前記枠状部と前記表示パネルとの間には間隙が形成され、
前記間隙には、当該間隙を覆うように前記表示パネルを傾ける際の押圧力を調整する押圧力調整部材が備えられており、
前記押圧力調整部材は、前記間隙において前記表示パネルの表面に対して前記凹形状及び前記凸形状が連続した形状であることを特徴とする。
【発明の効果】
【００１４】
本発明によれば、筐体の表面に枠状部を備えて当該枠状部の内側に表示パネルを配し、表示パネルを筐体に対して相対的に揺動自在とする構成としたことにより、枠状部によって電子機器を保持することができる。このため、電子機器を持ちやすくするとともに、直接表示パネルに触れる機会が減少することにより誤操作の発生が防止される。
したがって、ユーザの誤操作の発生に伴う使用時のストレスを解消し、より利便性のよい電子機器を提供することが可能である。
【発明を実施するための最良の形態】
【００１５】
以下、本発明に係る実施形態について図を参照して説明する。但し、発明の範囲を図示例に限定するものではない。
【００１６】
[第１実施形態]
図１は本発明に係る電子機器１０を示す斜視図であり、図２は電子機器１０のII−II線における断面視形状を示す説明図である。              
図１及び図２に示すように、電子機器１０には、表面に枠状部１ａを備えた筐体１と、筐体１の枠状部１ａの内側に配された長方形状の表示パネル２と、スピーカ等からなる音声出力部３と、が備えられている。
表示パネル２は、例えばＴＦＴ（Thin Film Transistor）などの液晶ディスプレイである。また、表示パネル２には、その表面に例えばプラスチック等からなる透明の保護シートなどを設けてもよい。
【００１７】
図１に示すように、表示パネル２と筐体１の枠状部１ａとの間には、間隙４が全周にわたって形成されており、この間隙４によって筐体１と表示パネル２とは切り離された構造となっている。
表示パネル２の表示面（表面）２１上の上下左右の辺部近傍には、押しボタンを示すマークA〜Dが表示されている。
【００１８】
図２に示すように、表示パネル２は、その表示面２１が枠状部１ａの表面１１より奥まった位置となるよう配置されている。
表示パネル２の背面２２には、表示パネル２を保持する断面視略逆三角形状の係合部５が備えられている。係合部５の逆三角形の頂点部には、係合部５及び表示パネル２を揺動自在に支持する支持部６が係合されている。係合部５及び支持部６は、表示パネル２に押圧力等の付加がかかっていないときには、表示パネル２を水平維持している。また、支持部６は、表示パネル２の中心となる位置に配置されている。
【００１９】
筐体１の内部において、マークＡ〜Ｄと表示パネル２を挟んで対向する位置には、例えばタクトスイッチ等からなる指示信号出力部としての押しボタンａ〜ｄが配置されている。
表示パネル２の表示面２１からマークＡ〜Ｄのいずれかがユーザにより押下操作された際、当該押下操作に基づいて表示パネル２は支持部６を支点として傾き、その押下されたマークＡ〜Ｄと対応する位置の押しボタンａ〜ｄが押下されるようになっている。一方、当該押下操作が解除された際には、表示パネル２は水平な位置に戻る。  
押しボタンａ〜ｄは、当該押下操作に基づいて押下されると、制御部７に指示信号を出力する。
【００２０】
図２に示すように、電子機器１０には、ＣＰＵ（Central Processing Unit）、ＲＯＭ(Read Only Memory)、ＲＡＭ（Random Access Memory）（いずれも図示せず）等により構成される制御部７が備えられている。
制御部７には、表示パネル２、音声出力部３、及び押しボタンａ〜ｄ等が接続されている。
【００２１】
制御部７のＲＯＭには、表示パネル２や音声出力部３を制御するための制御プログラム及び各種処理プログラムが記憶されており、ＣＰＵは、この制御プログラム及び各種処理プログラムとの協働により表示パネル２や音声出力部３の動作を統括的に制御する。
【００２２】
例えば、制御部７は、表示パネル２による押しボタンａ〜ｄのいずれかの押下操作に基づく指示信号に応じて、表示パネル２に映像を表示させたり、音声出力部３に音声を出力させる。
【００２３】
次に、電子機器１０の作用について説明する。
表示パネル２におけるマークＡ〜Ｄのいずれかをユーザが押下すると、その押下されたマークの位置に対して圧力が加わるため、支持部６を支点として表示パネル２が筐体１に対して相対的に傾く。そして、その押下されたマークと対応する位置の押しボタンａ〜ｄが押下されると、押しボタンａ〜ｄから制御部７に指示信号が出力され、制御部７により所定操作が実行される。
【００２４】
ここで、表示パネル２と筐体１とは、間隙４により切り離されているため、操作時には、表示パネル２のみが動作する。
また、表示パネル２の周辺に枠状部１ａを備えたことにより、枠状部１ａによって電子機器１０を保持することができる。
このため、例えばユーザが電子機器１０を手で保持して使用した場合、持ちやすくすることができるとともに、直接表示パネル２に触れないので誤操作の発生を防止することができる。
また、表示パネル２の表示面２１が、電子機器１０の筐体１より窪んだ位置に配置されていることにより、筐体１と面一に配置された場合と比べても操作されにくくなる。
例えばポケット等に収納して使用した場合においても、表示パネル２に異物が接触しにくくなり、より誤操作が発生しにくい構造とすることができる。  
また、例えば電子機器１０が落下した際などに表示パネル２が直接地面に接することがなく、表示パネル２を保護することが可能である。  
【００２５】
また、タクトスイッチを用いることにより、タッチパネルと比較して操作性を良好にすることができる。
具体的には、単にタッチパネルを使用した場合、押下すべき表示パネルが平面的に一体となっているため、押下する際に操作位置を直感的に判断しづらく、操作に不慣れなユーザには操作しづらい面があった。これに対し本実施形態のようにタクトスイッチを用いた場合、表示パネル２を揺動させて操作するので、ユーザによらず直感的に押下すべき位置を判断することができる。
【００２６】
また、タッチパネルを用いる場合には、表示パネル２の表面に当該タッチパネルを配置するため、表示パネル２からの発光光がタッチパネルにより遮光されるため透過率が低下して画質が劣化してしまう。そして、この画質劣化を改善するには電子機器が全体として高価となってしまう。しかし、タクトスイッチを用いることにより、画質改善が不要となり、タッチパネルと比較して安価に製造することができる。
【００２７】
以上のように、本実施形態の電子機器１０によれば、電子機器１０を手で保持して使用した場合にもポケット等に収納して使用した場合にも、誤操作の発生を防止することができ、このため、誤操作の発生に伴うユーザの使用時のストレスを解消し、より利便性のよい電子機器を提供することが可能である。
なお、表示パネル２の形状はこれに限定されるものではなく、例えば楕円形等の他の形としてもよい。
【００２８】
[第２実施形態]
次に、本発明における第２実施形態について、第１実施形態と異なる点を中心に説明する。なお、第１実施形態と同様の構成については、同様の符号を付してその説明は省略する。
【００２９】
図３は、本実施形態に係る電子機器２０示す斜視図であり、図４は電子機器２０のIV−IV線における断面形状を示す説明図である。
【００３０】
図３及び図４に示すように、電子機器２０の間隙４には、表示パネル２の表示面２１より窪んだ凹形状の押圧力調整部材８が備えられている。
押圧力調整部材８は、例えば透明のプラスチックシート等であって、図３及び図４に示すように、表示パネル２の表示面２１及び間隙４を一括して覆うように形成されている。なお、この押圧力調整部材８は、表示パネル２の縁部において、マークＡ〜Ｄ近傍部にのみ備えることとしてもよい。
【００３１】
表示パネル２の表示面２１におけるマークＡ〜Ｄのいずれかが押下されると表示パネル２は傾き、間隙４における押圧力調整部材８の凹形状は変形し、押下されたマークＡ〜Ｄと対応する位置の押しボタンａ〜ｄが押下される。
【００３２】
このような押圧力調整部材８は、その弾性力を予め調整しておくことにより、表示パネル２が傾き始める圧力値を調節することができる。そのため、例えば、ユーザのポケット等に収納して使用する場合においても、所定の圧力値以上の圧力がかからないと表示パネル２が押下されず、電子機器２０が誤操作するのを防止することができる。
【００３３】
以上のように、本実施形態の電子機器２０によれば、押圧力調整部材８を表示パネル２の周囲に設けることで表示パネル２を変動させる圧力を調整することができる。このため、誤操作の発生を防止することができ、ユーザの使用時のストレスが解消され、より利便性のよい電子機器を提供することが可能である。
また、押圧力調整部材８によって誤操作の発生を防止することができるため、ホールドスイッチを設ける必要もない。
【００３４】
なお、間隙４における押圧力調整部材８の形状としては、例えば、図５（ａ）に示すように、間隙４において表示パネル２の表示面２１より突出した凸形状となるように形成しても良い。
このような形状とすることにより、例えば電子機器２０が落下した際に、押圧力調整部材８の突出部が緩衝部として作用し、衝撃をやわらげることができる。
【００３５】
また、例えば、図５（ｂ）に示すように、間隙４において表示パネル２の表示面２１より窪んだ凹形状及び表示パネル２の表示面２１より突出した凸形状が交互に連続した形状となるように形成しても良い。
このような形状とすることにより、表示パネル２の押下操作の際に表示パネル２にかかる圧力をより細かく調整することができる。
【００３６】
なお、本実施形態においては、操作用のタクトスイッチを押しボタンａ〜ｄの４つで説明しているが、押しボタンの数はこれに限定されず、例えば、図６に示すように、表示パネル２の角部などに押しボタンＥ〜Ｈを増設しても良い。
また、本実施形態においては、押圧力調整部材８をプラスチックシートとして説明しているが押圧力調整部材８の厚さや材質に関して特に制限はなく、間隙４における押圧力調整部材８として例えばゴム等の弾性体単体を使用しても良い。
【００３７】
また、本発明は、表示パネル２をタッチパネルとする構成にも適用可能である。この場合には、タッチパネル自体を指示信号出力部として制御部７と接続し、タッチパネルを押下操作することで直接制御部７に指示信号が出力される。
【００３８】
その他、本発明が上記実施形態に限らず適宜変更可能であるのは勿論である。
【図面の簡単な説明】
【００３９】
【図１】本発明の第１実施形態に係る電子機器を示す斜視図である。
【図２】図１における電子機器のII−II線における断面形状を示す説明図である。
【図３】本発明の第２実施形態に係る電子機器を示す斜視図である。
【図４】図３における電子機器のIV−IV線における断面形状を示す説明図である。
【図５】（ａ）及び（ｂ）は、図３の電子機器の要部構成の変形例を示す図である。
【図６】図３における電子機器の変形例を示す図である。
【符号の説明】
【００４０】
１  筐体
１ａ  枠状部
２  表示パネル
２１  表示面（表面）
２２  背面
３  音声出力部
４  間隙
５  係合部
６  支持部
７  制御部
８  押圧力調整部材
１０，２０  電子機器
Ａ〜Ｄ  マーク
ａ〜ｄ  押しボタン（指示信号出力部）
【図１】
2009053253.tif 000003
【図２】
2009053253.tif 000004
【図３】
2009053253.tif 000005
【図４】
2009053253.tif 000006
【図５】
2009053253.tif 000007
【図６】
2009053253.tif 000008